(57)【特許請求の範囲】
【請求項１】
入力された印刷画像を印刷媒体に印刷する印刷手段を有し、又はこの印刷手段と接続される画像診断装置であって、
医用画像を撮影する撮影手段と、
アノテーションを生成するアノテーション描画手段と、
前記医用画像とともに、この医用画像上にアノテーションを表示する表示手段と、
前記医用画像から前記アノテーションの背景色を取得する背景色取得手段と、
前記背景色に基づき、前記アノテーションの印刷色を取得する印刷色取得手段と、
前記印刷色を呈する前記アノテーションを前記医用画像上に合成した前記印刷画像を作成する印刷画像作成手段と、
を備え、
前記印刷画像作成手段で作成された前記印刷画像を前記印刷手段に出力すること、
を特徴とする画像診断装置。
【請求項２】
前記背景色取得手段は、
前記アノテーションの配置領域内に配列する前記医用画像の各画素が有する色情報毎に前記配置領域の画素数をカウントし、最大画素数に対応する色情報を前記背景色とすること、
を特徴とする請求項１記載の画像診断装置。
【請求項３】
前記印刷色取得手段は、
各色とその補色とを対応付けて予め記憶する印刷色記憶手段を含み、
前記背景色と対応付けられている前記補色を前記印刷色として、前記印刷色記憶手段から取得すること、
を特徴とする請求項１記載の画像診断装置。
【請求項４】
前記印刷色取得手段は、
前記医用画像内の各色に対する各補色を予め記憶する印刷色記憶手段を含み、
前記アノテーションの配置領域内に配列する前記医用画像の各画素が有する色情報とは異なる前記補色を前記印刷色として、前記印刷色記憶手段から取得すること、
を特徴とする請求項１記載の画像診断装置。
【請求項５】
前記印刷色取得手段は、
白及び黒の印刷色を予め記憶する印刷色記憶手段を含み、
前記背景色の明度に応じて、その明度と反対の明度となる白又は黒の印刷色を、前記印刷色記憶手段から取得すること、
を特徴とする請求項１記載の画像診断装置。
【請求項６】
前記アノテーションは、文字列、矢印、若しくは図形の何れかで表されるパーツの組み合わせであり、
前記背景色取得手段は、
前記パーツの配置領域毎に前記背景色を取得し、
前記印刷色取得手段は、
前記パーツ毎の前記印刷色を取得し、
前記印刷画像作成手段は、
前記パーツ毎に前記印刷色を呈する前記パーツを組み合わせて前記医用画像上に合成した前記印刷画像を作成すること、
を特徴とする請求項１記載の画像診断装置。
【請求項７】
前記アノテーションは、文字列、矢印、若しくは図形の何れかで表されるパーツの組み合わせであり、
前記背景色取得手段は、
前記文字列を構成する文字の配置領域毎に前記背景色を取得し、
前記背景色取得手段は、
前記文字毎に前記アノテーションの前記背景色を取得し、
前記印刷色取得手段は、
前記文字毎の前記印刷色を取得し、
前記印刷画像作成手段は、
前記文字毎の前記印刷色を呈する前記各文字を組み合わせて前記医用画像上に合成した前記印刷画像を作成すること、
を特徴とする請求項１記載の画像診断装置。
【請求項８】
前記アノテーションに含まれる各図形の種類に対応させて形状を強調する印刷図形を予め記憶する印刷図形記憶手段と、
前記医用画像上に配置された前記アノテーションの図形に応じて、前記印刷図形記憶手段から前記印刷図形を取得する印刷図形取得手段と、
を更に備え、
前記印刷画像作成手段は、
前記医用画像上に配置された前記アノテーションに含まれる図形に代えて、前記印刷図形取得手段で取得された前記印刷図形を前記医用画像上の前記配置領域に合成した前記印刷画像を作成すること、
を特徴とする請求項１記載の画像診断装置。
【請求項９】
入力された印刷画像を印刷媒体に印刷する印刷手段と接続される画像表示装置であって、
医用画像を記憶する記憶手段と、
アノテーションを生成するアノテーション描画手段と、
前記医用画像とともに、この医用画像上にアノテーションを表示する表示手段と、
前記医用画像から前記アノテーションの背景色を取得する背景色取得手段と、
前記背景色に基づき、前記アノテーションの印刷色を取得する印刷色取得手段と、
前記印刷色を呈する前記アノテーションを前記医用画像上に合成した前記印刷画像を作成する印刷画像作成手段と、
を備え、
前記印刷画像作成手段で作成された前記印刷画像を前記印刷手段に出力すること、
を特徴とする画像表示装置。
【請求項１０】
前記背景色取得手段は、
前記アノテーションの配置領域内に配列する前記医用画像の各画素が有する色情報毎に前記配置領域の画素数をカウントし、最大画素数に対応する色情報を前記背景色とすること、
を特徴とする請求項９記載の画像表示装置。
【請求項１１】
前記印刷色取得手段は、
各色とその補色とを対応付けて予め記憶する印刷色記憶手段を含み、
前記背景色と対応付けられている前記補色を前記印刷色として、前記印刷色記憶手段から取得すること、
を特徴とする請求項９記載の画像表示装置。
【請求項１２】
前記印刷色取得手段は、
前記医用画像内の各色に対する各補色を予め記憶する印刷色記憶手段を含み、
前記アノテーションの配置領域内に配列する前記医用画像の各画素が有する色情報とは異なる前記補色を前記印刷色として、前記印刷色記憶手段から取得すること、
を特徴とする請求項９記載の画像表示装置。
【請求項１３】
前記印刷色取得手段は、
白及び黒の印刷色を予め記憶する印刷色記憶手段を含み、
前記背景色の明度に応じて、その明度と反対の明度となる白又は黒の印刷色を、前記印刷色記憶手段から取得すること、
を特徴とする請求項９記載の画像表示装置。
【請求項１４】
前記アノテーションは、文字列、矢印、若しくは図形の何れかで表されるパーツの組み合わせであり、
前記背景色取得手段は、
前記パーツの配置領域毎に前記背景色を取得し、
前記印刷色取得手段は、
前記パーツ毎の前記印刷色を取得し、
前記印刷画像作成手段は、
前記パーツ毎に前記印刷色を呈する前記パーツを組み合わせて前記医用画像上に合成した前記印刷画像を作成すること、
を特徴とする請求項９記載の画像表示装置。
【請求項１５】
前記アノテーションは、文字列、矢印、若しくは図形の何れかで表されるパーツの組み合わせであり、
前記背景色取得手段は、
前記文字列を構成する文字毎に前記アノテーションの前記背景色を取得し、
前記背景色取得手段は、
前記文字の配置領域毎に前記背景色を取得し、
前記印刷色取得手段は、
前記文字毎の前記印刷色を取得し、
前記印刷画像作成手段は、
前記文字毎の前記印刷色を呈する前記文字を組み合わせて前記医用画像上に合成した前記印刷画像を作成すること、
を特徴とする請求項９記載の画像表示装置。
【請求項１６】
前記アノテーションに含まれる各図形の種類に対応させて形状を強調する印刷図形を予め記憶する印刷図形記憶手段と、
前記医用画像上に配置された前記アノテーションに含まれる図形に応じて、前記印刷図形記憶手段から前記印刷図形を取得する印刷図形取得手段と、
を更に備え、
前記印刷画像作成手段は、
前記医用画像上に配置された前記アノテーションに含まれる図形に代えて、前記印刷図形取得手段で取得された前記印刷図形を前記医用画像上の前記配置領域に合成した前記印刷画像を作成すること、
を特徴とする請求項９記載の画像表示装置。
【請求項１７】
医用画像とともに、この医用画像上にアノテーションを表示する表示装置と接続される印刷装置であって、
前記表示装置から前記医用画像と前記アノテーション情報を受信する受信手段と、
前記医用画像から前記アノテーションの背景色を取得する背景色取得手段と、
前記背景色に基づき、前記アノテーションの印刷色を取得する印刷色取得手段と、
前記印刷色を呈する前記アノテーションを前記医用画像上に合成した印刷画像を作成する印刷画像作成手段と、
前記印刷画像作成手段で作成された前記印刷画像を印刷媒体に出力する印刷手段と、
を備えること、
を特徴とする印刷装置。
【請求項１８】
前記背景色取得手段は、
前記アノテーションの配置領域内に配列する前記医用画像の各画素が有する色情報毎に前記配置領域の画素数をカウントし、最大画素数に対応する色情報を前記背景色とすること、
を特徴とする請求項１７記載の印刷装置。
【請求項１９】
前記印刷色取得手段は、
各色とその補色とを対応付けて予め記憶する印刷色記憶手段を含み、
前記背景色と対応付けられている前記補色を前記印刷色として、前記印刷色記憶手段から取得すること、
を特徴とする請求項１７記載の印刷装置。
【請求項２０】
前記印刷色取得手段は、
前記医用画像内の各色に対する各補色を予め記憶する印刷色記憶手段を含み、
前記アノテーションの配置領域内に配列する前記医用画像の各画素が有する色とは異なる前記補色を前記印刷色として、前記印刷色記憶手段から取得すること、
を特徴とする請求項１７記載の印刷装置。
【請求項２１】
前記印刷色取得手段は、
白及び黒の印刷色を予め記憶する印刷色記憶手段を含み、
前記背景色の明度に応じて、その明度と反対の明度となる白又は黒の印刷色を、前記印刷色記憶手段から取得すること、
を特徴とする請求項１７記載の印刷装置。
【請求項２２】
前記アノテーションは、文字列、矢印、若しくは図形の何れかで表されるパーツの組み合わせであり、
前記背景色取得手段は、
前記パーツの配置領域毎に前記背景色を取得し、
前記印刷色取得手段は、
前記パーツ毎の前記印刷色を取得し、
前記印刷画像作成手段は、
前記パーツ毎に前記印刷色を呈する前記パーツを組み合わせて前記医用画像上に合成した前記印刷画像を作成すること、
を特徴とする請求項１７記載の印刷装置。
【請求項２３】
前記アノテーションは、文字列、矢印、若しくは図形の何れかで表されるパーツの組み合わせであり、
前記背景色取得手段は、
前記文字列を構成する文字の配置領域毎に前記背景色を取得し、
前記背景色取得手段は、
前記文字毎に前記アノテーションの前記背景色を取得し、
前記印刷色取得手段は、
前記文字毎の前記印刷色を取得し、
前記印刷画像作成手段は、
前記文字毎の前記印刷色を呈する前記文字を組み合わせて前記医用画像上に合成した前記印刷画像を作成すること、
を特徴とする請求項１７記載の印刷装置。
【請求項２４】
前記アノテーションに含まれる各図形に対応させて形状を強調する印刷図形を予め記憶する印刷図形記憶手段と、
前記医用画像上に配置された前記アノテーションに含まれる図形に応じて、前記印刷図形記憶手段から前記印刷図形を取得する印刷図形取得手段と、
を更に備え、
前記印刷画像作成手段は、
前記医用画像上に配置された前記アノテーションに含まれる図形に代えて、前記印刷図形取得手段で取得された前記印刷図形を前記医用画像上の前記配置領域に合成した前記印刷画像を作成すること、
を特徴とする請求項１７記載の印刷装置。
【発明の詳細な説明】
【技術分野】
【０００１】
この発明は、アノテーションを付加した医用画像を印刷媒体に印刷する技術に関する。
【背景技術】
【０００２】
医療現場では、Ｘ線ＣＴ装置及び超音波診断装置等の各種画像診断装置や、ＰＡＣＳ、ＨＩＳ、ＲＩＳ、及び電子カルテシステム等の各種画像表示装置が配置されている。これら各装置は、液晶ディスプレイやＣＲＴディスプレイ等の表示部を有し、撮影した被検体の医用画像を表示部に出力して表示させる。
【０００３】
この画像診断装置や画像表示装置の画面には、アノテーションを付加する操作を受付ける操作ボタンがアイコン形式で配置される。このアイコンをクリックしてアノテーションを付加したい位置にドラッグすることで、このアイコンに対応したアノテーションが医用画像上に配置された状態で表示部に表示される（例えば、「特許文献１」参照）。アノテーションは、医用画像に対する注釈を示す情報である。このアノテーションは、文字列、矢印、及び図形等の各パーツを組み合わせで示される。
【０００４】
医師や技師等が医用画像に対して注釈を付加したい場合に、このアノテーション機能が利用される。診断医等は、このアノテーションを参考に医用画像を用いた診断を行う。診断医等は、このアノテーションを付加した医用画像を表示部に表示させて閲覧する場合と、アノテーションを付加した医用画像を紙やフィルム等の印刷媒体に印刷して閲覧する場合とがある。
【０００５】
そのため、各画像診断装置や各画像表示装置は、インクの塗布により画像を印刷媒体に出力するインクジェットプリンタや、電子写真方式により画像を紙やフィルム等の印刷媒体に出力するレーザプリンタ等の印刷装置を有し、又はこの印刷装置とローカル又はネットワーク経由により接続されている。これら各画像診断装置や各画像表示装置は、撮影した被検体の医用画像を印刷装置に出力して印刷媒体に印刷させる。医用画像にアノテーションが付加されている場合、アノテーションが付加された医用画像を印刷媒体に印刷させる。
【０００６】
医用画像とアノテーションとは、表示画面において視認しやすいように予め配色が決められている。従来、アノテーションを付加した医用画像を印刷媒体に出力する場合、表示部で視認しやすい配色のままで印刷媒体に出力していた。
【０００７】
【特許文献１】特開平７−３１５９１号公報（段落００９１）
【発明の開示】
【発明が解決しようとする課題】
【０００８】
上述のように、医用画像とアノテーションとは、表示画面において視認しやすいように予め配色が決められており、この表示部で視認しやすい配色のままで印刷媒体に出力していた。しかし、表示画面上と印刷媒体上とでは、適合する色空間やコントラストが異なるため、表示画面上で視認しやすかった画像も印刷媒体上では視認しにくいおそれがある。例えば、医用画像とアノテーションの色差が表示画面上では明瞭であったが、印刷媒体上では、アノテーションが医用画像内に埋もれてしまい視認しにくいといった場合がある。
【０００９】
これにより、印刷媒体に出力した医用画像を基に読影する際、アノテーションと医用画像とを誤認することによる誤診の誘発のおそれや、誤認を防ぐために、読影する医師や技師に必要以上の神経を使わせるおそれがあった。
【００１０】
この発明は、上述のような問題点に鑑みてなされたものであり、その目的とするところは、アノテーションを医用画像上に付加することで作成される画像を印刷媒体に出力してもアノテーションと医用画像とが明瞭に視認できる技術を提供するものである。
【課題を解決するための手段】
【００１１】
上記課題を解決するために、請求項１記載の本発明に係る画像診断装置は、入力された印刷画像を印刷媒体に印刷する印刷手段を有し、又はこの印刷手段と接続される画像診断装置であって、医用画像を撮影する撮影手段と、アノテーションを生成するアノテーション描画手段と、前記医用画像とともに、この医用画像上にアノテーションを表示する表示手段と、前記医用画像から前記アノテーションの背景色を取得する背景色取得手段と、前記背景色に基づき、前記アノテーションの印刷色を取得する印刷色取得手段と、前記印刷色を呈する前記アノテーションを前記医用画像上に合成した前記印刷画像を作成する印刷画像作成手段と、を備え、前記印刷画像作成手段で作成された前記印刷画像を前記印刷手段に出力すること、を特徴とする。
【００１２】
また、上記課題を解決するために、請求項９記載の本発明に係る画像表示装置は、入力された印刷画像を印刷媒体に印刷する印刷手段と接続される画像表示装置であって、医用画像を記憶する記憶手段と、アノテーションを生成するアノテーション描画手段と、前記医用画像とともに、この医用画像上にアノテーションを表示する表示手段と、前記医用画像から前記アノテーションの背景色を取得する背景色取得手段と、前記背景色に基づき、前記アノテーションの印刷色を取得する印刷色取得手段と、前記印刷色を呈する前記アノテーションを前記医用画像上に合成した前記印刷画像を作成する印刷画像作成手段と、を備え、前記印刷画像作成手段で作成された前記印刷画像を前記印刷手段に出力すること、を特徴とする。
【００１３】
上記課題を解決するために、請求項１７記載の本発明に係る印刷装置は、医用画像とともに、この医用画像上にアノテーションを表示する表示装置と接続される印刷装置であって、前記表示装置から前記医用画像と前記アノテーション情報を受信する受信手段と、前記医用画像から前記アノテーションの背景色を取得する背景色取得手段と、前記背景色に基づき、前記アノテーションの印刷色を取得する印刷色取得手段と、前記印刷色を呈する前記アノテーションを前記医用画像上に合成した印刷画像を作成する印刷画像作成手段と、前記印刷画像作成手段で作成された前記印刷画像を印刷媒体に出力する印刷手段と、を備えること、を特徴とする。
【発明の効果】
【００１４】
本発明によれば、表示手段で明瞭に視認可能に配色されたアノテーションが付加された医用画像を、印刷媒体で明瞭に視認可能に配色し直すことができるため、印刷媒体上でもアノテーションと医用画像とが明瞭に区別できる。従って、アノテーションと医用画像とを誤認することによる誤診の誘発のおそれを低減でき、また、読影する医師や技師の負担を軽減することができる。
【発明を実施するための最良の形態】
【００１５】
以下、本発明に係るアノテーションを付加した医用画像を印刷媒体に出力する技術の好適な実施形態について、図面を参照しながら具体的に説明する。
【００１６】
（第１の実施形態）
図１は、各実施形態に係る画像診断装置１の構成を示すブロック図である。図２は、画像診断装置１の表示画面を示す図である。
【００１７】
この画像診断装置１は、被検体の医用画像１００を撮影する装置である。例えば、画像診断装置１は、超音波診断装置である。超音波診断装置は、被検体に超音波を送波し、被検体内の各位置から反射した反射波を受波して、反射波の強度から被検体内を画像化した医用画像１００を生成する。
【００１８】
この画像診断装置１は、撮影部２と、画像管理部３と、操作部４と、表示制御部５及び表示部６と、印刷画像作成部７及び印刷部８とを有する。
【００１９】
撮影部２は、被検体を撮影して医用画像１００を生成する。この撮影部２は、超音波診断装置であれば、超音波プローブ及び画像生成回路である。画像管理部３は、撮影した医用画像１００を記憶する所謂ストレージである。操作部４は、キーボードやマウスやトラックボール等であり、表示制御部５に操作者によるマウスの移動量やクリック操作を示す信号を出力する。
【００２０】
表示制御部５及び表示部６は、医用画像１００を画面に表示する。表示部６は、液晶ディスプレイやＣＲＴディスプレイ等の画面に画像を表示する装置である。表示制御部５は、操作部４の操作に応じて画像管理部３から医用画像１００を読み出し、読み出した医用画像１００を表示部６に表示させる。
【００２１】
この表示制御部５は、アノテーション描画部５１を有する。アノテーション描画部５１は、操作部４の操作に応じて、表示部６に表示されている医用画像１００上にアノテーション１１０を付加した画像をオーバーレイ表示させる。
【００２２】
図２に示すように、画面には、表示制御部５によって、医用画像１００とともにアイコン１２０が配置される。表示制御部５は、医用画像１００とアイコン１２０とを配置する画面フォーマットを予め記憶している。この画面フォーマットに医用画像１００とアイコン１２０とを配置した画面画像を表示部６に出力する。
【００２３】
アイコン１２０の一つは、アノテーション１１０を付加する処理に対応している。操作部４を用いて、アノテーション１１０を付加する処理に対応したアイコン１２０が押下され、任意の位置へドラッグされると、アノテーション描画部５１は、押下されたアイコン１２０に対応するアノテーション１１０の画像を生成して、ドラッグされた位置にオーバーレイ表示する。
【００２４】
アノテーション１１０は、図形１１１、矢印１１２、及び文字列１１３のパーツ又はこれらパーツの組み合わせで構成されている。アノテーション描画部５１は、アノテーション１１０を構成する各パーツとそのパーツの位置関係とを示すアノテーションオブジェクトデータを予め記憶しており、押下したアイコン１２０に対応するアノテーションオブジェクトデータからアノテーション１１０の画像を生成してオーバーレイ表示する。
【００２５】
アノテーション描画部５１は、アノテーション１１０のオーバーレイ表示の際、このアノテーション１１０の表示に関するアノテーション表示情報５１１を生成し、アノテーション１１０が付加された医用画像１００に関連付けて記憶させる。
【００２６】
図３は、アノテーション表示情報５１１を示すデータ構造図である。アノテーション表示情報５１１は、アノテーション１１０を構成する各パーツの種別内容情報５１５、各パーツの配置領域情報５１２、及び表示色情報５１６を含んで構成される。
【００２７】
種別内容情報５１５は、アノテーション１１０を構成する各パーツの種別又は内容を示す。パーツが文字列１１３である場合は、さらにその文字列１１３を示す情報を含んで構成されている。
【００２８】
配置領域情報５１２は、配置されたパーツの配置領域を示す。この配置領域情報５１２は、各パーツが配置される基準座標５１３と、その基準座標５１３からの各パーツの大きさ情報を含んで構成されている。基準座標５１３は、操作部４を用いてドラッグされた座標を、パーツの位置関係で増減した座標値（ｘ，ｙ）である。大きさ情報は、基準座標５１３を基準とした範囲（ｄｘ，ｄｙ）である。尚、パーツが文字列１１３の場合は、フォントの種別毎に文字毎の範囲（ｄｘ，ｄｙ）は決まっており、文字列１１３のフォントの種別を示すフォント種別情報が大きさ情報として含まれる。
【００２９】
座標値（ｘ，ｙ）と範囲（ｄｘ，ｄｙ）とを組み合わせた座標範囲（ｘ，ｙ）〜（ｘ＋ｄｘ，ｙ＋ｄｙ）が、パーツの配置領域となり、これらの配置領域の総計がアノテーション１１０の配置領域となる。
【００３０】
アノテーション描画部５１は、医用画像１００を示す画像データにこのアノテーション表示情報５１１を関連付けてワークメモリに一時的に蓄積しておく。また、アノテーション描画部５１は、アノテーション１１０が付加された医用画像１００の保存操作に対応して、アノテーション表示情報５１１と医用画像１００を表す画像データとを結合し、１ファイルとして画像管理部３に記憶しておく。
【００３１】
印刷画像作成部７及び印刷部８は、医用画像１００を印刷媒体に印刷する。印刷画像作成部７は、印刷画像を作成して印刷部８に出力する。印刷画像は、印刷媒体に印刷する画像である。アノテーション１１０が付加された医用画像１００を印刷する場合、印刷画像作成部７は、アノテーション１１０を医用画像１００上に合成した印刷画像を生成して印刷部８に出力する。印刷部８は、入力された印刷画像を、給紙された印刷媒体上に、インクジェットや電子写真方式で形成する装置であり、所謂プリンタや複写機である。
【００３２】
印刷画像作成部７は、印刷色決定部７１を有する。この印刷色決定部７１は、医用画像１００上にアノテーション１１０が付加されている場合、医用画像１００に合成するアノテーション１１０の印刷色を決定する。印刷画像作成部７は、決定された印刷色を呈するアノテーション１１０を医用画像１００に合成することで印刷画像を生成する。印刷色は、印刷画像内のアノテーション１１０を構成する画素の色情報である。
【００３３】
この印刷色決定部７１は、背景色取得部７２と印刷色取得部７３と印刷色記憶部７４とを有する。背景色取得部７２は、アノテーション１１０の背景色を医用画像１００から取得する。印刷色取得部７３は、印刷色記憶部７４に記憶されている補色テーブル７４１を参照して、背景色に対応する印刷色を取得する。
【００３４】
図４は、印刷色記憶部７４に記憶されている補色テーブル７４１を示す図である。補色テーブル７４１は、背景色となりうる各色とその補色７４２とを対応付けて記憶している。補色７４２とは、色相環で正反対に位置する色である。即ち、各色に対して、その色との関係において一番コントラストの強い色が補色テーブル７４１で定義されている。印刷色決定部７１は、背景色の補色７４２を補色テーブル７４１から印刷色として読み出すことで、印刷色を決定している。
【００３５】
図５は、第１の実施形態に係る印刷色を決定し、印刷画像を作成する処理を示すフローチャートである。
【００３６】
まず、背景色取得部７２は、アノテーション表示情報５１１から配置領域情報５１２を読み出し（Ｓ０１）、アノテーション１１０の配置領域を特定する（Ｓ０２）。
【００３７】
例えば、アノテーション１１０が円の図形１１１と文字列１１３で構成されている場合、円の基準座標５１３（ｘ１，ｙ１）と大きさ情報（ｄｘ１，ｄｙ１）とで示される（ｘ１，ｙ１）と（ｘ１＋ｄｘ１，ｙ１）と（ｘ１，ｙ１＋ｄｙ１）と（ｘ１＋ｄｘ１，ｙ１＋ｄｙ１）とで囲まれる領域が円の図形１１１の配置領域として特定され、フォント種別情報と文字列１１３とから算出される範囲（ｄｘ２，ｄｙ２）と文字列１１３の基準座標５１３（ｘ２，ｙ２）とで示される（ｘ２，ｙ２）と（ｘ２＋ｄｘ２，ｙ２）と（ｘ２，ｙ２＋ｄｙ２）と（ｘ２＋ｄｘ２，ｙ２＋ｄｙ２）とで囲まれる領域が文字列１１３の配置領域として特定される。
【００３８】
アノテーション１１０の配置領域が特定されると、背景色取得部７２は、医用画像１００を画像管理部３から読み出し（Ｓ０３）、アノテーション１１０の配置領域内に配列する医用画像１００上の各画素が有する色情報を取得していく（Ｓ０４）。そして、背景色取得部７２は、取得した色情報毎、即ち色情報が示す値毎に、アノテーション１１０の配置領域内に配列する画素の数をカウントしていく（Ｓ０５）。
【００３９】
詳しくは、医用画像１００の画像データのうち、アノテーション１１０の配置領域内に相当するデータ列を画素単位で順に読み出す。この画素単位のデータ列は、画素が有する色情報である。読み出したデータ列が示す色情報に対応してカウント数が存在すれば、このカウント数を１カウントアップする。読み出したデータ列が示す色情報に対応するカウント数が存在しなければ、読み出したデータ列が示す色情報と１を示すカウント数をワークメモリに対応付けて記憶する。これにより、アノテーション１１０の背景に存在する各色の画素数がカウントされる。
【００４０】
アノテーション１１０の配置領域を構成する医用画像１００内の各画素の色情報の読み出し、及び読み出した色情報毎の画素数のカウントが終了すると、背景色取得部７２は、最大画素数に対応する色情報、即ちカウント数が最も大きかった色情報が示す色を、背景色としてワークメモリに記憶する（Ｓ０６）。即ち、ワークメモリに記憶されているカウント数のうち、値が最も大きいカウント数に対応付けて記憶されている色情報を背景色とする。これにより、アノテーション１１０の背景に存在する色のうち、最も多い色が探索される。
【００４１】
背景色が取得されると、印刷色取得部７３は、印刷色記憶部７４から補色テーブル７４１を読み出す（Ｓ０７）。補色テーブル７４１を読み出すと、印刷色取得部７３は、背景色と同一の色情報を有する色に対応する補色７４２を取得する（Ｓ０８）。
【００４２】
例えば、補色テーブル７４１には、Ｒ（レッド）の階調値が２５５、Ｇ（グリーン）の階調値が２５５、及びＢ（ブルー）の階調値が０である黄色に対して、Ｒ（レッド）の階調値が１５３、Ｇ（グリーン）の階調値が５１、及びＢ（ブルー）の階調値が２５５である紫色を示す補色７４２が対応付けられている。印刷色取得部７３は、この黄色の背景色を取得すると、黄色に対応する紫色の補色７４２が取得されてワークメモリに記憶される。尚、取得した背景色が補色テーブル７４１にない場合、取得した背景色に近似する色に対応する補色７４２を取得する。
【００４３】
印刷画像作成部７は、アノテーション表示情報５１１の種別内容情報５１５と印刷色決定部７１で取得された印刷色とから、アノテーション１１０の背景色と補色７４２の関係にある色を呈するアノテーション１１０の画像を作成し（Ｓ０９）、アノテーション表示情報５１１の配置領域情報５１２で特定される配置領域を構成する医用画像１００内の各画素を、この印刷用のアノテーション１１０画像で構成する各画素に変換することで印刷画像を作成する（Ｓ１０）。そして、印刷画像作成部７は、この印刷画像を印刷部８に出力する。
【００４４】
図６は、このような画像診断装置１の動作の一例を示すシーケンス図である。
【００４５】
撮影部２により被検体が撮影されて医用画像１００が生成されると（Ｓ１１）、撮影部２は、生成した医用画像１００を画像管理部３へ出力する（Ｓ１２）。画像管理部３は、入力された医用画像１００を記憶しておく（Ｓ１３）。
【００４６】
操作部４を用いて、画像を表示させる要求が入力されると（Ｓ１４）、画像管理部３は、要求された医用画像１００を読み出して表示制御部５に出力する（Ｓ１５）。表示制御部５は、入力された医用画像１００と予め記憶しているアイコン１２０を、予め記憶している画面フォーマットに配置することで表示画面を作成し、読み出された医用画像１００を表示部６に表示させる（Ｓ１６）。
【００４７】
操作部４を用いて、アノテーション１１０の選択とアノテーション１１０の配置位置の選択が入力されると（Ｓ１７）、アノテーション描画部５１は、選択されたアノテーション１１０を生成して、選択された配置位置にオーバーレイ表示させる（Ｓ１８）。同時に、アノテーション描画部５１は、選択されたアノテーション１１０のアノテーション表示情報５１１を、読み出された医用画像１００と関連付けて生成する（Ｓ１９）。
【００４８】
操作部４を用いて、アノテーション１１０が付加された医用画像１００を保存する入力がなされると（Ｓ２０）、画像管理部３は、一時的に記憶されているアノテーション表示情報５１１を、関連付けてある医用画像１００の画像データと結合させて１ファイルとして記憶しておく（Ｓ２１）。
【００４９】
操作部４を用いて、アノテーション１１０が付加された医用画像１００を表示させる要求が入力されると（Ｓ２２）、画像管理部３は、要求された医用画像１００とこの医用画像１００と結合しているアノテーション表示情報５１１を読み出して表示制御部５に出力する（Ｓ２３）。表示制御部５は、入力された医用画像１００を表示部６に表示させる（Ｓ２４）。さらに、アノテーション描画部５１は、入力されたアノテーション表示情報５１１に含まれる各パーツの種別内容情報５１５と表示色情報５１６からアノテーション１１０を生成し、入力されたアノテーション表示情報５１１に含まれる配置領域情報５１２で示される配置位置に生成したアノテーション１１０をオーバーレイ表示させる（Ｓ２５）。
【００５０】
操作部４を用いて、アノテーション１１０が付加された医用画像１００の印刷操作が入力されると（Ｓ２６）、印刷色決定部７１は、補色テーブル７４１と医用画像１００とアノテーション表示情報５１１を読み出して（Ｓ２７）、アノテーション表示情報５１１に含まれる配置領域情報５１２を参照して医用画像１００からアノテーション１１０の背景色を取得し（Ｓ２８）、補色テーブル７４１を参照して背景色の補色７４２を取得する（Ｓ２９）。
【００５１】
そして、印刷画像作成部７は、取得した補色７４２を呈するアノテーション１１０をアノテーション表示情報５１１と取得した補色７４２とから作成し、印刷する医用画像１００に合成することで、印刷画像を作成する（Ｓ３０）。印刷画像を作成すると、印刷画像作成部７は、印刷画像を印刷部８に出力する（Ｓ３１）。
【００５２】
印刷部８は、入力された印刷画像を給紙された印刷媒体に出力する（Ｓ３２）。
【００５３】
図７は、この第１の実施形態に係る画像診断装置１において、表示部６に表示されたアノテーション１１０が付加された医用画像１００（図中ａ）と、印刷媒体に出力された同じくアノテーションが付加された医用画像１００（図中ｂ）とを示す図である。
【００５４】
図７に示すように、表示部６に表示されたアノテーション１１０（図中ａ）と印刷媒体に出力されたアノテーション１１０（図中ｂ）とでは、配色が異なる。そして、図７（ａ）に示すように、印刷媒体に出力されたアノテーション１１０の配色とその背景色とでは、補色７４２の関係となっているため、コントラストが強く、印刷媒体上では、医用画像１００とアノテーション１１０とが明瞭に区別可能となっている。
【００５５】
このように、本実施形態に係る画像診断装置１では、付加されたアノテーション１１０の配色を背景色を基準に調整してから、印刷媒体に医用画像１００を出力する。従って、表示部６で明瞭に視認可能に配色されたアノテーション１１０と医用画像１００とを、印刷媒体で明瞭に視認可能に配色し直すことができるため、印刷媒体上でもアノテーション１１０と医用画像１００とが明瞭に区別できる。従って、アノテーション１１０と医用画像１００とを誤認することによる誤診の誘発のおそれを低減でき、また、読影する医師や技師の負担を軽減することができる。
【００５６】
また、本実施形態では、付加されたアノテーション１１０の配色を背景色の補色７４２に変更してから印刷媒体に出力する。従って、アノテーション１１０と医用画像１００との視認性が格段に向上し、印刷媒体上でのアノテーション１１０と医用画像１００とをさらに明瞭に区別できる。
【００５７】
尚、画像管理部３にアノテーション１１０を付加した医用画像１００を記憶させる場合、画面に表示された医用画像１００をキャプチャして、そのキャプチャした医用画像１００を画像管理部３に記憶させる場合がある。この場合、アノテーション１１０が付加された医用画像１００は、医用画像１００を示す画像データとアノテーション表示情報５１１ではなく、アノテーション１１０が画像として含まれる画像データとして記憶されてしまうため、アノテーション１１０が付加された医用画像１００を保存する保存ボタンが押下されたことを契機に、印刷画像作成部７でアノテーション１１０の背景色と補色７４２の関係にある配色に調整しておき、その後、画像管理部３に記憶させるようにすればよい。
【００５８】
又は、画面に表示した色を有するアノテーション１１０が付加された医用画像１００の表示用の画像データと、背景色と補色７４２の関係にある配色を有するアノテーション１１０が付加された医用画像１００の印刷用の画像データとを別々に作成するようにして、アノテーション１１０が付加された医用画像１００を再度表示させるときには、表示用の画像データを用い、印刷するときには印刷用の画像データを用いるようにしてもよい。
【００５９】
（第２の実施形態）
背景色は、アノテーション１１０の配置領域全体に対して取得してもよいが、アノテーション１１０を構成する図形１１１や矢印１１２や文字列１１３等のパーツ毎に取得してもよい。
【００６０】
図８は、アノテーション１１０を構成するパーツの配置領域毎に背景色を取得して印刷色を決定する印刷色決定部７１の処理を示すフローチャートである。
【００６１】
まず、背景色取得部７２は、アノテーション表示情報５１１に複数の配置領域情報５１２が存在する場合は、アノテーション表示情報５１１から各パーツの配置領域情報５１２を読み出し（Ｓ４１）、アノテーション１１０を構成するパーツ毎の配置領域を特定する（Ｓ４２）。
【００６２】
例えば、アノテーション１１０が円の図形１１１と文字列１１３で構成されている場合、円の図形１１１の配置領域は、円の図形１１１の基準座標５１３（ｘ１，ｙ１）と大きさ情報（ｄｘ１，ｄｙ１）とで示される（ｘ１，ｙ１）と（ｘ１＋ｄｘ１，ｙ１）と（ｘ１，ｙ１＋ｄｙ１）と（ｘ１＋ｄｘ１，ｙ１＋ｄｙ１）とで囲まれる領域であり、文字列１１３の配置領域は、フォント種別情報と文字列１１３とから算出される範囲（ｄｘ２，ｄｙ２）と文字列１１３の基準座標５１３（ｘ２，ｙ２）とで示される（ｘ２，ｙ２）と（ｘ２＋ｄｘ２，ｙ２）と（ｘ２，ｙ２＋ｄｙ２）と（ｘ２＋ｄｘ２，ｙ２＋ｄｙ２）とで囲まれる領域である。
【００６３】
アノテーション１１０を構成するパーツ毎の配置領域が特定されると、背景色取得部７２は、医用画像１００を画像管理部３から読み出し（Ｓ４３）、第１のパーツに対する配置領域内に配列する医用画像１００上の各画素が有する色情報を取得していく（Ｓ４４）。そして、背景色取得部７２は、取得した色情報毎、即ち色情報が示す値毎に、第１のパーツに対する配置領域内に配列する画素の数をカウントしていく（Ｓ４５）。これにより、第１のパーツの背景に存在する色毎の画素数がカウントされる。
【００６４】
第１のパーツの配置領域を構成する医用画像１００内の各画素の色情報の読み出し、及び読み出した色情報毎の画素数のカウントが終了すると、背景色取得部７２は、最大画素数に対応する色情報を、第１のパーツの背景色としてワークメモリに記憶する（Ｓ４６）。これにより、第１のパーツの背景に存在する最も多い色が探索される。
【００６５】
第１のパーツの背景色が取得されると、第２のパーツ、第３のパーツ・・・と、全てのパーツの配置領域情報５１２に対する背景色の取得が終了するまで（Ｓ４７，Ｙｅｓ）、背景色を取得するパーツを次のパーツに切り替えて（Ｓ４８）、Ｓ４３〜Ｓ４６を繰り返し、読み出した各配置領域情報５１２に対応して背景色を取得していく。
【００６６】
例えば、アノテーション１１０が円の図形１１１と文字列１１３で構成されている場合、（ｘ１，ｙ１）と（ｘ１＋ｄｘ１，ｙ１）と（ｘ１，ｙ１＋ｄｙ１）と（ｘ１＋ｄｘ１，ｙ１＋ｄｙ１）とで囲まれる円の図形１１１の配置領域について背景色を取得し、（ｘ２，ｙ２）と（ｘ２＋ｄｘ２，ｙ２）と（ｘ２，ｙ２＋ｄｙ２）と（ｘ２＋ｄｘ２，ｙ２＋ｄｙ２）とで囲まれる文字列１１３の配置領域について背景色を取得する。
【００６７】
各パーツの背景色が取得されると、印刷色取得部７３は、印刷色記憶部７４から補色テーブル７４１を読み出す（Ｓ４９）。補色テーブル７４１を読み出すと、印刷色取得部７３は、各背景色と同一の色情報を有する色に対応する補色７４２をそれぞれ取得し（Ｓ５０）、取得した各補色７４２を印刷色としてアノテーション表示情報５１１の種別内容情報５１５に対応付けてワークメモリに記憶する（Ｓ５１）。
【００６８】
印刷画像作成部７は、アノテーション表示情報５１１の各種別内容情報５１５と印刷色決定部７１で取得された各印刷色とから、各パーツの背景色と補色７４２の関係にある色を呈する各パーツの画像を作成し（Ｓ５２）、作成された各パーツの配置領域情報５１２で特定される配置領域を構成する医用画像１００内の各画素を、それぞれの背景色に対する補色７４２を呈する各パーツの画像で構成する各画素に変換する（Ｓ５３）。そして、印刷画像作成部７は、この印刷画像を印刷部８に出力する。
【００６９】
図９は、この第２の実施形態に係る画像診断装置１において、表示部６に表示されたアノテーション１１０が付加された医用画像１００（図中ａ）と、印刷媒体に出力された医用画像１００（図中ｂ）とを示す図である。
【００７０】
図９に示すように、表示部６に表示されたアノテーション１１０（図中ａ）と印刷媒体に出力されたアノテーション１１０（図中ｂ）とでは、配色が異なる。さらに、印刷媒体に出力されたアノテーション１１０（図中ｂ）は、パーツとその背景色とでは、それぞれ補色７４２の関係となっているため、アノテーション１１０の配置領域が複数色に跨っている場合、各パーツの配色が異なる。例えば、画面上では、文字列１１３のパーツの背景色と矢印１１２及び円の図形１１１のパーツの背景色とが異なるようにアノテーション１１０がオーバーレイ表示され、しかもアノテーション１１０全体が同一色であっても、印刷媒体上では、文字列１１３の色は、その背景色の補色７４２で出力され、矢印１１２及び円の図形１１１の色は、その背景色の補色７４２で出力される。
【００７１】
従って、アノテーション１１０が複数の背景色に跨ってオーバーレイ表示されていても、印刷媒体上では、医用画像１００とアノテーション１１０とが明瞭に区別可能となる。
【００７２】
（第３の実施形態）
背景色は、アノテーション１１０の配置領域全体に対して、又はパーツ毎に取得してもよいが、アノテーション１１０に文字列１１３が含まれる場合は、文字単位で背景色を取得してもよい。
【００７３】
図１０は、アノテーション１１０を構成する文字単位で背景色を取得して印刷色を決定する印刷色決定部７１の処理を示すフローチャートである。尚、文字列１１３以外の矢印１１２や図形１１１については、第１又は第２の実施形態と同様につき説明を省略する。
【００７４】
まず、背景色取得部７２は、アノテーション表示情報５１１に文字列１１３を表す種別内容情報５１５が存在する場合には、配置領域情報５１２に含まれる基準座標５１３とフォント種別情報を読み出す（Ｓ６１）。
【００７５】
文字は、フォントの種類によって文字毎に幅が決まっている。背景取得部は、ｎ＝１に初期化し（Ｓ６２）、読み出したｎ番目の基準座標５１３（ｘ，ｙ）とｎ番目の文字の大きさ（Ｌｘｎ，Ｌｙ）とから、ｎ番目の文字の配置領域を、基準座標５１３（ｘ，ｙ）と（ｘ＋ΣＬｘｎ，ｙ）と（ｘ，ｙ＋Ｌｙ）と（ｘ＋ΣＬｘｎ，ｙ＋Ｌｙ）とで囲まれる領域に特定する（Ｓ６３）。
【００７６】
そして、背景色取得部７２は、基準座標５１３を（ｘ＋ΣＬｘｎ，ｙ）とし（Ｓ６４）、ｎ＝ｎ＋１とし（Ｓ６５）、ｎ番目の文字が存在すれば（Ｓ６６，Ｙｅｓ）、Ｓ６３をｎ番目の文字について繰り返す。
【００７７】
このＳ６１〜Ｓ６６の処理によって、各文字の配置領域が特定される。例えば、先頭の文字の大きさ（Ｌｘ１，Ｌｙ）と基準座標５１３（ｘ，ｙ）とから、先頭の文字の配置領域は、（ｘ，ｙ）と（ｘ＋Ｌｘ１，ｙ）と（ｘ，ｙ＋Ｌｙ）と（ｘ＋Ｌｘ１，ｙ＋Ｌｙ）とで囲まれる領域に特定される。２番目の文字の配置領域は、２番目の文字の大きさ（Ｌｘ２，Ｌｙ）と先頭の文字の配置領域の終端の座標となる基準座標５１３（ｘ＋Ｌｘ１，ｙ）とから、（ｘ＋Ｌｘ１＋１，ｙ）と（ｘ＋Ｌｘ１＋Ｌｘ２，ｙ）と（ｘ＋Ｌｘ１＋１，ｙ＋Ｌｙ）と（ｘ＋Ｌｘ１＋Ｌｘ２，ｙ＋Ｌｙ）とで囲まれる領域に特定される。
【００７８】
一方、ｎ番目の文字が存在しなければ（Ｓ６６，Ｎｏ）、各文字の配置領域についてＳ４３〜Ｓ５３の処理を行うことで、各文字の配置領域の背景色を取得し、背景色の補色７４２を取得し、各文字の配色をこの補色７４２としたアノテーション１１０を医用画像１００に合成する。
【００７９】
図１１は、この第３の実施形態に係る画像診断装置１において、印刷媒体に出力された医用画像１００を示す図である。
【００８０】
図１１に示すように、印刷媒体に出力されたアノテーション１１０は、文字列１１３部分が複数の背景色と跨っている。例えば、「ｈｏｇｅ」なる文字列１１３がアノテーション１１０を構成する文字のパーツとして医用画像１００に付加されており、「ｈｏ」の前二文字と「ｇｅ」の後二文字とは、異なる背景色に跨っている。このようなアノテーション１１０では、「ｈ」と「ｏ」と「ｇ」と「ｅ」の各文字についてその背景色が取得され、取得された背景色と補色７４２の関係にある色で各文字が配色されるため、「ｈｏ」と「ｇｅ」とでは、配色が異なって印刷媒体に出力される。
【００８１】
従って、文字毎にその背景色と補色７４２の関係にある色を呈するために、医用画像１００とアノテーション１１０に含まれる文字とが、文字列１１３が複数の背景色に跨っていても明瞭に区別可能となる。
【００８２】
（第４の実施形態）
背景色をアノテーション１１０の配置領域全体に対して取得し、取得した背景色と補色７４２の関係にある色をアノテーション１１０全体に対して配色してもよいが、アノテーション１１０の配置領域が複数の背景色に跨る場合、一の背景色と補色７４２の関係にある色が、他の背景色と同系色である場合もある。その場合、それぞれの背景色とは異なる色を選び直し、選び直した色をアノテーション１１０に配色するようにしてもよい。一番強いコントラストとはならないが、他の背景色と混ざり合うことを防止することができる。
【００８３】
図１２は、第４の実施形態に係る印刷色を決定する処理を示すフローチャートである。
【００８４】
まず、背景色取得部７２は、アノテーション表示情報５１１から配置領域情報５１２を読み出し（Ｓ７１）、アノテーション１１０の配置領域を特定する（Ｓ７２）。
【００８５】
アノテーション１１０の配置領域が特定されると、背景色取得部７２は、医用画像１００を画像管理部３から読み出し（Ｓ７３）、アノテーション１１０の配置領域内に配列する医用画像１００上の各画素が有する色情報を取得していく（Ｓ７４）。そして、背景色取得部７２は、取得した色情報毎、即ち色情報が示す値毎に、アノテーション１１０の配置領域内に配列する画素の数をカウントしていく（Ｓ７５）。例えば、アノテーション１１０が黄色と紫色の領域に跨っていれば、アノテーション１１０が配置されている配置領域内に存在する黄色の画素数と紫色の画素数をカウントする。
【００８６】
アノテーション１１０の配置領域を構成する医用画像１００内の各画素の色情報の読み出し、及び読み出した色情報毎の画素数のカウントが終了すると、背景色取得部７２は、最大画素数に対応する色情報を背景色とする（Ｓ７６）。黄色の画素数が最も多ければ、黄色が背景色として取得される。
【００８７】
背景色が取得されると、印刷色取得部７３は、印刷色記憶部７４から補色テーブル７４１を読み出す（Ｓ７７）。補色テーブル７４１を読み出すと、背景色に対応する補色７４２を取得する（Ｓ７８）。補色７４２を取得すると、アノテーション１１０の配置領域内に配列する医用画像１００上の各画素が有する色情報と補色７４２とを比較する（Ｓ７９）。
【００８８】
この比較は、各色情報が示すＲＧＢの各階調値と補色７４２が示すＲＧＢの各階調値とを比較し、値が一致又は近似していれば、補色７４２と色情報とが一致すると判断する。近似は、補色７４２の各階調値が各色情報が示す各階調値の所定の範囲内にある場合をいう。
【００８９】
黄色の補色７４２は、紫色であるため、印刷色取得部７３は、補色７４２として紫色を取得する。この補色７４２として取得された紫色と、アノテーション１１０が黄色と紫色の領域に跨っていれば、補色７４２としての紫色と、アノテーション１１０の背景に存在する黄色と紫色を比較する。
【００９０】
比較の結果、補色７４２と一致する色情報が存在すると（Ｓ７９，Ｙｅｓ）、補色テーブル７４１に記憶されている各色と、背景色取得部７２が取得した各色情報とを比較して、アノテーション１１０の配置領域内に配列する医用画像１００上の各画素が有する色情報が示す色と一致しない色を探索する（Ｓ８０）。即ち、補色テーブル７４１を、補色７４２を記憶するための他、各色の色情報を記憶するテーブルとしても利用する。例えば、補色テーブル７４１に緑色が記憶されている場合、黄色と紫色の色情報と緑色の色情報とは一致しないため、この緑色の色情報が該当する。
【００９１】
背景色が取得した各色情報が示す色と一致しない色が見つかると、その色をアノテーション１１０の印刷色として記憶する（Ｓ８１）。印刷色が記憶されると、Ｓ０９及びＳ１０の合成処理を行い、アノテーション１１０の背景に存在しない色を呈するアノテーション１１０を医用画像１００に合成した印刷画像を作成する。
【００９２】
図１３は、この第４の実施形態に係る印刷画像を示す図であり、（ａ）は、第１の実施形態に係る印刷画像を示す模式図、（ｂ）は、第４の実施形態に係る印刷画像を示す模式図である。
【００９３】
図１３（ａ）に示すように、最大の画素数を有する色と補色７４２の関係にある色で配色されたアノテーション１１０を医用画像１００に合成した印刷画像を出力すると、最大の画素数ではないがアノテーション１１０の背景に存在する色と、アノテーション１１０の色とが同系色になってしまう。そのため、アノテーション１１０は、最大の画素数を有する背景色とは強いコントラストを有するが、アノテーション１１０の一部がその背景の色と混ざり合ってしまう場合がある。
【００９４】
しかし、図１３（ｂ）に示すように、この第４の実施形態によれば、アノテーション１１０が複数の色を呈する領域に跨っていても、その何れの色とも異なる色で配色されたアノテーション１１０が医用画像１００に合成される。
【００９５】
従って、アノテーション１１０が複数の背景色に跨ってオーバーレイ表示されていても、印刷媒体上では、医用画像１００とアノテーション１１０とが明瞭に区別可能となる。グレースケールの医用画像１００は、補色７４２の関係に二色のグラデーションで表現される場合も多いが、この場合であっても第４の実施形態に係る画像診断装置１では、医用画像１００とアノテーション１１０とが明瞭に区別可能となる。
【００９６】
（第５の実施形態）
第１乃至第４の実施形態では、色相の違いによってアノテーション１１０と医用画像１００とを区別させたが、アノテーション１１０と医用画像１００とを明度の違いによって区別させてもよい。第５の実施形態では、印刷色記憶部７４は、補色テーブル７４１に代えて、ハイコントラスト色である黒と白の色情報を記憶している。印刷色取得部７３は、背景色の明度を算出し、背景色の明度とは反対の明度となる黒又は白色をアノテーション１１０の印刷色とする。
【００９７】
図１４は、第５の実施形態に係る印刷色を決定する処理を示すフローチャートである。
【００９８】
まず、背景色取得部７２は、アノテーション表示情報５１１から配置領域情報５１２を読み出し（Ｓ９１）、アノテーション１１０の配置領域を特定する（Ｓ９２）。
【００９９】
アノテーション１１０の配置領域が特定されると、背景色取得部７２は、医用画像１００を画像管理部３から読み出し（Ｓ９３）、アノテーション１１０の配置領域内に配列する医用画像１００上の各画素が有する色情報を取得していく（Ｓ９４）。そして、背景色取得部７２は、取得した色情報毎、即ち色情報が示す値毎に、アノテーション１１０の配置領域内に配列する画素の数をカウントしていく（Ｓ９５）。
【０１００】
アノテーション１１０の配置領域を構成する医用画像１００内の各画素の色情報の読み出し、及び読み出した色情報毎の画素数のカウントが終了すると、背景色取得部７２は、最大画素数に対応する色情報を背景色とする（Ｓ９６）。
【０１０１】
背景色が取得されると、印刷色取得部７３は、この背景色の明度を算出する（Ｓ９７）。明度の算出は、例えばＨＳＢ表色系の明度(Brightness)を算出する。ＨＳＢ座標系は、色相（Hue）、彩度(Saturation)、明度(Brightness)の三つの成分からなる色空間である。ＲＧＢ各成分の最大値をｍａｘとすると、明度（Ｂ）は、Ｂ（ＨＳＢ）＝ｍａｘとなる。
【０１０２】
背景色の明度を算出すると、印刷色取得部７３は、閾値と明度とを比較する（Ｓ９８）。閾値は、背景色の明度が取りうる階調値の中間値である。階調値が０〜２５５の計２５６段階であれば、閾値は、１２８である。印刷色取得部７３は、この閾値を予め記憶しており、記憶している閾値を読み出して背景色の明度と比較する。
【０１０３】
比較の結果、背景色の明度が閾値以上であれば（Ｓ９８，Ｙｅｓ）、印刷色取得部７３は、印刷色記憶部７４から白色の色情報を印刷色として記憶する（Ｓ９９）。一方、背景色の明度が閾値未満であれば（Ｓ９８，Ｎｏ）、印刷色取得部７３は、印刷色記憶部７４から黒色の色情報を印刷色として取得する（Ｓ１００）。閾値以上であれば、背景色は全体として黒みがかっているため、白色が印刷色として取得され、閾値未満であれば、背景色は全体として白みがかっているため、黒色が印刷色として取得される。
【０１０４】
印刷色が記憶されると、Ｓ０９及びＳ１０の合成処理を行い、アノテーション１１０の背景に存在しない色を呈するアノテーション１１０を医用画像１００に合成した印刷画像を作成する。
【０１０５】
この実施形態によると、例えば、黄色の背景にアノテーション１１０が付加されている場合は、印刷画像は、黒色のアノテーション１１０となり、紫色の背景にアノテーション１１０が付加されている場合には、印刷画像は、白色のアノテーション１１０となる。従って、一般的な補色７４２では若干ぼやけた印象を与えるが、背景色の明度とは反対の明度の黒俣は白をアノテーション１１０に配色することによって、はっきりとした視覚効果を与え、医用画像１００とアノテーション１１０とがさらに明瞭に区別可能となる。尚、この印刷色の決定は、カラーの印刷画像であっても、グレースケールの印刷画像であっても適用することができる。
【０１０６】
（第６の実施形態）
第１乃至第５の実施形態に係るアノテーション１１０の配色や明度の変更に加えて、アノテーション１１０に円や矩形等の図形１１１や矢印１１２が含まれる場合は、これら図形１１１や矢印１１２を、形状を強調する印刷図形のパーツに変更するようにしてもよい。
【０１０７】
図１５は、第６の実施形態に係る画像診断装置１の構成を示すブロック図である。
【０１０８】
第６の実施形態に係る画像診断装置１の印刷画像作成部７は、パーツオブジェクト変更部７５とパーツオブジェクト記憶部７６を更に備えている。
【０１０９】
パーツオブジェクト変更部７５は、アノテーション１１０に含まれる図形１１１や矢印１１２の形状を強調する印刷図形のパーツに変更する。印刷画像作成部７は、変更された印刷図形のパーツを医用画像１００に合成して印刷画像を作成する。
【０１１０】
パーツオブジェクト変更部７５は、パーツオブジェクト記憶部７６に記憶されている印刷図形のパーツを読み出す。パーツオブジェクト記憶部７６には、印刷図形のパーツを表す情報が図形テーブル７６１として記憶されている。
【０１１１】
図１６は、図形テーブル７６１を示すデータ構造図である。図形テーブル７６１には、他の図形パーツとして、雷型や星形等の印刷図形のパーツを表す形状変更用の種別内容情報７６２と、矢印１１２や円や矩形等の図形１１１を表す変更元の種別内容情報５１５とが対応付けされている。
【０１１２】
パーツオブジェクト変更部７５は、図形テーブル７６１を参照し、アノテーション表示情報５１１に含まれている変更元の種別内容情報５１５に対応付けられている雷型や星形等の他の図形を表す形状変更用の種別内容情報７６２を取得する。印刷画像作成部７は、このパーツオブジェクト変更部７５が取得した形状変更用の種別内容情報７６２に従って印刷用のアノテーション１１０を作成する。
【０１１３】
図１７は、このアノテーション１１０のパーツを変更して印刷画像を作成する処理を示すフローチャートである。
【０１１４】
まず、パーツオブジェクト変更部７５は、アノテーション表示情報５１１から変更元となる種別内容情報５１５を取得する（Ｓ１１１）。変更元となる種別内容情報５１５を取得すると、パーツオブジェクト変更部７５は、図形テーブル７６１をパーツオブジェクト記憶部７６から読み出す（Ｓ１１２）。
【０１１５】
変更元となる種別内容情報５１５と図形テーブル７６１を読み出すと、パーツオブジェクトは、アノテーション表示情報５１１に含まれている変更元となる種別内容情報５１５に対応付けられている雷型や星形等の印刷図形のパーツを表す形状変更用の種別内容情報７６２を取得する（Ｓ１１３）。
【０１１６】
印刷画像作成部７は、図形テーブル７６１から読み出した形状変更用の種別内容情報７６２と印刷色決定部７１で取得された印刷色とから、アノテーション１１０の背景色と補色７４２の関係にある色を呈し、形状が強調されたアノテーション１１０の画像を作成し（Ｓ１１４）、アノテーション表示情報５１１の配置領域情報５１２で特定される配置領域を構成する医用画像１００内の各画素を、この印刷用のアノテーション１１０画像で構成する各画素に変換することで印刷画像を作成する（Ｓ１１５）。そして、印刷画像作成部７は、この印刷画像を印刷部８に出力する。
【０１１７】
図１８は、この第６の実施形態に係る印刷画像を示す模式図である。図１８の（ａ）や（ｂ）に示すように、アノテーション１１０の矢印１１２は、例えば雷型に置き換わり、アノテーション１１０の円の図形１１１は、円と円の全周位に放射状に並ぶ三角形状を組み合わせた図形とで構成される図形１１１に置き換わる。この第６の実施形態に係る画像診断装置１によると、印刷されるアノテーション１１０は、その色に加えて特徴的な形状に置き換わり、さらに医用画像１００とアノテーション１１０とを明確に区別することが可能となる。
【０１１８】
以上のように、第１乃至第６の実施形態によれば、印刷されるアノテーション１１０は、背景色を基準にその配色が調整されるため、医用画像１００とアノテーション１１０とが印刷画像において明瞭に区別できる。従って、アノテーション１１０と医用画像１００とを誤認することによる誤診の誘発のおそれを低減でき、また、読影する医師や技師の負担を軽減することができる。
【０１１９】
特に、印刷されるアノテーション１１０を、背景色と補色７４２の関係にある色、又は背景色の明度と反対の明度を有する白又は黒に変更することで、より明瞭にアノテーション１１０と医用画像１００とを区別できる。
【０１２０】
また、アノテーション１１０が配置される配置領域は、複数の色を有する場合がある。しかし、アノテーション１１０のパーツや文字毎に補色７４２が決定され、又はアノテーション１１０の背景に含まれない色をアノテーション１１０の印刷色とすることで、アノテーション１１０が複数色に跨っていても医用画像１００とアノテーション１１０とを明瞭に区別することができる。
【０１２１】
また、アノテーション１１０の配色に加え、アノテーション１１０を構成する図形１１１パーツを特徴的な図形１１１パーツに変更することで更に明瞭に区別することができる。
【０１２２】
この第１乃至第６の実施形態に係る画像診断装置１は、印刷部８を有する超音波診断装置を前提に説明したが、Ｘ線ＣＴ装置やＸ線診断装置や磁気共鳴イメージング装置や核医学診断装置等の撮影部２を有さない装置にも適用できる。
【０１２３】
図１９は、印刷部８を有さない画像診断装置１を示すブロック図である。印刷部８を有さない画像診断装置１は、ネットワークインターフェース等の送信部９をさらに備える。送信部９は、プリンタや複写機等で構成される印刷部８と接続されたネットワークＮに接続され、印刷部８に対して印刷画像を送信が可能となっている。この画像診断装置１は、印刷画像作成部７で印刷画像を作成すると、送信部９により印刷画像を印刷部８に送信する。印刷部８は、送信部９より送信された印刷画像を印刷媒体に出力する。
【０１２４】
また、このアノテーション１１０を付加した医用画像１００を印刷色や形状を変更した印刷画像に変更する態様は、画像診断装置１の外部にネットワークＮを介して接続された印刷装置２００にも適用できる。
【０１２５】
図２０は、画像診断装置１と印刷装置２００とをネットワークで接続した態様を示す構成図である。
【０１２６】
この態様では、画像診断装置１は、撮影部２と画像管理部３と表示制御部５と表示部６と操作部４と送信部９とを備え、印刷装置２００は、受信部１０と印刷画像作成部７と印刷部８を有する。この印刷装置２００は、プリンタや複写機、又はコンピュータで構成される制御装置とこの制御装置に制御されるプリンタや複写機とで構成されている。受信部１０は、主にネットワークインターフェースを含み構成される。
【０１２７】
この態様では、画像診断装置１は、印刷ボタンが押下されると、医用画像１００とアノテーション表示情報５１１とを印刷装置２００に送信する。医用画像１００とアノテーション表示情報５１１とを受信した印刷装置２００は、アノテーション１１０の配色や形状を変更して医用画像１００に合成することで印刷画像を作成し、印刷媒体に出力する。
【図面の簡単な説明】
【０１２８】
【図１】画像診断装置の構成を示すブロック図である。
【図２】画像診断装置の表示画面を示す図である。
【図３】アノテーション表示情報を示すデータ構造図である。
【図４】補色テーブルを示す図である。
【図５】第１の実施形態に係る印刷色を決定し、印刷画像を作成する処理を示すフローチャートである。
【図６】画像診断装置の動作の一例を示すシーケンス図である。
【図７】第１の実施形態に係る画像診断装置において、表示部に表示されたアノテーションが付加された医用画像（図中ａ）と、印刷媒体に出力された同じくアノテーションが付加された医用画像（図中ｂ）とを示す図である。
【図８】第２の実施形態に係るパーツの配置領域毎に背景色を取得して印刷色を決定する処理を示すフローチャートである。
【図９】第２の実施形態に係る画像診断装置において、表示部に表示されたアノテーションが付加された医用画像（図中ａ）と、印刷媒体に出力された医用画像（図中ｂ）とを示す図である。
【図１０】第３の実施形態に係る文字単位で背景色を取得して印刷色を決定する処理を示すフローチャートである。
【図１１】第３の実施形態に係る画像診断装置において、印刷媒体に出力された医用画像を示す図である。
【図１２】第４の実施形態に係る印刷色を決定する処理を示すフローチャートである。
【図１３】第４の実施形態に係る印刷画像を示す図であり、（ａ）は、第１の実施形態に係る印刷画像を示す模式図、（ｂ）は、第４の実施形態に係る印刷画像を示す模式図である。
【図１４】第５の実施形態に係る印刷色を決定する処理を示すフローチャートである。
【図１５】第６の実施形態に係る画像診断装置の構成を示すブロック図である。
【図１６】図形テーブルを示すデータ構造図である。
【図１７】アノテーションのパーツを変更して印刷画像を作成する第６の実施形態に係る処理を示すフローチャートである。
【図１８】第６の実施形態に係る印刷画像を示す模式図である。
【図１９】印刷部を有さない画像診断装置を示すブロック図である。
【図２０】画像診断装置と印刷装置とをネットワークで接続した態様を示す構成図である。
【符号の説明】
【０１２９】
１      画像診断装置
２      撮影部
３      画像管理部
４      操作部
５      表示制御部
５１    アノテーション描画部
５１１  アノテーション表示情報
５１２  配置領域情報
５１３  基準座標
５１４  大きさ情報
５１５  種別内容情報
５１６  表示色情報
６      表示部
７      印刷画像作成部
７１    印刷色決定部
７２    背景色取得部
７３    印刷色取得部
７４    印刷色記憶部
７４１  補色テーブル
７４２  補色
７５    パーツオブジェクト変更部
７６    パーツオブジェクト記憶部
７６１  図形テーブル
７６２  形状変更用の種別内容情報
８      印刷部
９      送信部
１０    受信部
１００  医用画像
１１０  アノテーション
１１１  図形
１１２  矢印
１１３  文字列
１２０  アイコン
２００  印刷装置
Ｎ      ネットワーク
【図１】
0005248120.tif 000002
【図２】
0005248120.tif 000003
【図３】
0005248120.tif 000004
【図４】
0005248120.tif 000005
【図５】
0005248120.tif 000006
【図６】
0005248120.tif 000007
【図７】
0005248120.tif 000008
【図８】
0005248120.tif 000009
【図９】
0005248120.tif 000010
【図１０】
0005248120.tif 000011
【図１１】
0005248120.tif 000012
【図１２】
0005248120.tif 000013
【図１３】
0005248120.tif 000014
【図１４】
0005248120.tif 000015
【図１５】
0005248120.tif 000016
【図１６】
0005248120.tif 000017
【図１７】
0005248120.tif 000018
【図１８】
0005248120.tif 000019
【図１９】
0005248120.tif 000020
【図２０】
0005248120.tif 000021